(57)【要約】【課題】回転電機において、線材に対する隣接する分割コア間における組付誤差の影響を回避でき、前記線材に負荷をかけることなく確実に保持する。【解決手段】回転電機用ステータ１０を構成する分割コア部１４は、分割鉄心２０と、該分割鉄心２０を絶縁するインシュレータ２２とを備え、前記インシュレータ２２の外周側には、半径内側に向かって窪み、該分割コア部１４の周方向に向かって延在する複数の第１〜第４収納溝６８、７０、７２、７４が形成される。この第１〜第４収納溝６８、７０、７２、７４の内部には、対向する一方の内壁面及び他方の内壁面に一組の第１突部７６ａ、７６ｂと第２突部７８とが交互となるように設けられ、前記第１突部７６ａ、７６ｂと前記第２突部７８とが第１〜第４収納溝６８、７０、７２、７４の周方向に沿って互いに離間して配置されている。そして、第１〜第４収納溝６８、７０、７２、７４において、コイル１８Ｎ、１８Ｕ、１８Ｖ、１８Ｗが第１及び第２突部７６ａ、７６ｂ、７８によって保持される。【選択図】図４
2013243800.tif 000002
【特許請求の範囲】
【請求項１】
周方向に分割された分割コアを環状のホルダで保持したステータを備える回転電機であって、
前記分割コアは、径方向外側に臨み、前記ステータに巻回される巻線と接続された線材を保持する保持部を備え、
前記保持部は、前記ステータの軸方向に沿って設けられ、前記線材の挿入される溝部と、
前記溝部の壁部に対して突出し、前記分割コアにおいて周方向に沿って少なくとも３つ以上設けられる突部と、
を有することを特徴とする回転電機。
【請求項２】
請求項１記載の回転電機において、
前記保持部は、前記ステータにおいて周方向に隣接する前記分割コア同士で同一形状に形成されることを特徴とする回転電機。
【請求項３】
請求項１記載の回転電機において、
前記突部は、前記分割コアにおいて前記溝部における一組の壁部に対して交互に設けられることを特徴とする回転電機。
【請求項４】
請求項３記載の回転電機において、
前記分割コアにおいて周方向の両端部に設けられる前記突部は、前記溝部における同一の前記壁部に設けられることを特徴とする回転電機。
【請求項５】
請求項３記載の回転電機において、
前記分割コアにおける周方向の両端部に設けられる前記突部は、前記溝部における異なる前記壁部に設けられると共に、前記分割コア内における前記突部間のピッチに対して、前記周方向に隣接する分割コア間における前記突部間のピッチが大きく設定されることを特徴とする回転電機。
【請求項６】
請求項１〜５のいずれか１項に記載の回転電機において、
前記溝部は、前記軸方向に隣接して複数設けられ、隣接した前記溝部における前記突部は、前記線材の挿入方向に沿って同一位置となるように設けられることを特徴とする回転電機。
【請求項７】
請求項１〜５のいずれか１項に記載の回転電機において、
前記溝部は、前記軸方向に隣接して複数設けられ、隣接した前記溝部における前記突部は、前記線材の挿入方向に沿って反対側となる対称位置に設けられることを特徴とする回転電機。
【発明の詳細な説明】
【技術分野】
【０００１】
本発明は、複数の分割コアを環状に配置して形成されるステータコアを備えた回転電機に関する。
【背景技術】
【０００２】
従来から、分割鉄心と、該分割鉄心の一部を囲繞するインシュレータと、前記インシュレータを介して前記分割鉄心を巻回するコイルとを有する分割コア部を環状に複数配置して形成されるステータを有し、前記ステータのスロットに巻回された複数のコイルによって回転磁界を発生させることで、前記ステータの中央に設けられたロータを回転させる回転電機（例えば、モータ）が知られている。
【０００３】
本出願人は、コイルの巻回される分割鉄心と、該分割鉄心に装着されるインシュレータとから構成された分割コアを有した回転電機を提案している。この回転電機は、複数の分割コア部を環状に形成されたステータのハウジングに対して組み付けることで、前記分割コア部を一体的に保持している（特許文献１参照）。
【先行技術文献】
【特許文献】
【０００４】
【特許文献１】特開２０１２−１６１００号公報
【発明の概要】
【発明が解決しようとする課題】
【０００５】
本発明は、前記の提案に関連してなされたものであり、線材に対する隣接する分割コア間における組付誤差の影響を回避でき、前記線材に負荷をかけることなく確実に保持可能な回転電機を提供することを目的とする。
【課題を解決するための手段】
【０００６】
前記の目的を達成するために、本発明は、周方向に分割された分割コアを環状のホルダで保持したステータを備える回転電機であって、
前記分割コアは、径方向外側に臨み、前記ステータに巻回される巻線と接続された線材を保持する保持部を備え、
前記保持部は、前記ステータの軸方向に沿って設けられ、前記線材の挿入される溝部と、
前記溝部の壁部に対して突出し、前記分割コアにおいて周方向に沿って少なくとも３つ以上設けられる突部と、
を有することを特徴とする。
【０００７】
本発明によれば、周方向に分割された分割コアを環状のホルダで保持したステータにおいて、前記分割コアには、径方向外側に臨んで巻線に接続された線材を保持する保持部を有し、前記保持部には、前記線材の挿入される溝部が前記ステータの軸方向に沿って形成されると共に、前記溝部の壁部に対して突出した突部が、前記分割コアにおいて周方向に沿って少なくとも３つ以上設けられる。
【０００８】
従って、分割コアにおいて、溝部に挿入された線材が少なくとも３つ以上設けられた突部によって確実に保持されるため、例えば、ステータにおいて隣接配置された分割コアの間で前記ステータを軸方向に圧入等によって組み付ける際に組付誤差が生じた場合でも、一方の分割コアの保持部と、他方の分割コアの保持部との間に生じた段差によって前記分割コア間を渡る線材に対して負荷（張力）が付与されることを抑制できる。
【０００９】
その結果、複数の分割コアを有したステータにおいて、隣接する分割コアの間に該ステータの軸方向への組付誤差が生じている場合でも、前記分割コアに装着される線材に対して誤差に起因した負荷をかけることなく確実に保持することができる。
【００１０】
また、保持部は、ステータにおいて周方向に隣接する分割コア同士で同一形状に形成することにより、前記保持部を含む分割コアを同一の金型で成形することが可能となり、例えば、前記金型に要するコストを削減することができる。
【００１１】
さらに、突部を、分割コアにおいて溝部における一組の壁部に対して交互に設けることにより、線材に対して交互に押圧力を付与することが可能となり、それに伴って、前記線材を突部によってより一層確実に保持することができる。
【００１２】
さらにまた、分割コアにおいて周方向の両端部に設けられる突部を、溝部における同一の壁部に設けることにより、隣接する分割コアの間において線材に対して張力を付与しない部位を設けることができるため、該線材に過大な張力が付与されてしまうことを防止できる。
【００１３】
またさらに、分割コアにおける周方向の両端部に設けられる突部は、前記溝部における異なる壁部に設けられると共に、前記分割コア内における前記突部間のピッチに対して、前記周方向に隣接する分割コア間における前記突部間のピッチを大きく設定するとよい。これにより、分割コアの間に生じた軸方向の組付誤差による負荷が前記線材に対して付与されることを抑制できる。
【００１４】
また、溝部は、軸方向に隣接して複数設けられ、隣接した前記溝部における突部を、線材の挿入方向に沿って同一位置となるように設けるとよい。これにより、複数の溝部に対して線材を挿入して保持した際、各線材が突部によって同一の形状で保持されるため、隣接して配置された線材同士が接触することを防止できる。
【００１５】
さらに、溝部は、軸方向に隣接して複数設けられ、隣接した前記溝部における突部を、線材の挿入方向に沿って反対側となる対称位置に設けることにより、前記突部によって前記線材を保持した際に、該線材から前記突部へと付与される押圧力が、対称位置に設けられた突部へと付与されることで相殺するため、前記押圧力による溝部の変形を防止することができる。
【発明の効果】
【００１６】
本発明によれば、以下の効果が得られる。
【００１７】
すなわち、周方向に分割された分割コアを環状のホルダで保持したステータにおいて、前記分割コアには、径方向外側に臨んで巻線に接続された線材を保持する保持部を有し、前記保持部には、前記線材の挿入される溝部が前記ステータの軸方向に沿って形成されると共に、前記溝部の壁部に対して突出した突部を、前記分割コアにおいて周方向に沿って少なくとも３つ以上設けることにより、線材が溝部において少なくとも３つ以上の突部によって確実に保持されるため、例えば、ステータにおいて隣接配置された分割コアの間で前記ステータを軸方向に圧入等によって組み付ける際に組付誤差が生じた場合でも、前記分割コアに装着される線材に対して誤差に起因した負荷をかけることなく確実に保持することが可能となる。
【図面の簡単な説明】
【００１８】
【図１】本発明の実施の形態に係る回転電機の全体正面図である。
【図２】図１に示す回転電機のステータを構成する分割コア部の外観斜視図である。
【図３】図２に示す分割コア部の分解斜視図である。
【図４】図２に示す分割コア部を外周側から見たステータの側面図である。
【図５】ステータにおいて隣接して配置された２つの分割コア部に対してコイルを装着した場合を示す一部省略側面図である。
【図６】第１変形例に係るインシュレータを有したステータの拡大側面図である。
【図７】第２変形例に係るインシュレータを有したステータの拡大側面図である。
【発明を実施するための形態】
【００１９】
本発明に係る回転電機についてそれに組み込まれるステータとの関係で好適な実施形態を挙げ、添付の図面を参照しながら以下詳細に説明する。
【００２０】
この回転電機用ステータ１０（以下、単にステータ１０という）は、その内部に設けられるロータと組み合わされて回転電機を構成し、例えば、電動機又は発電機として用いられる。
【００２１】
ステータ１０は、例えば、３相Ｙ型結線のステータであり、図１に示されるように、中空状のホルダ１２と、前記ホルダ１２に設けられた３相の入力端子Ｕ、Ｖ、Ｗと、中性点を形成する中性端子Ｎと、前記ホルダ１２の内周面に沿って複数の分割コア部１４を環状に配置して形成されるステータコア１６とを含む。そして、複数の分割コア部１４は、Ｕ相、Ｖ相、Ｗ相のコイル（線材）１８Ｕ、１８Ｖ、１８Ｗをそれぞれ有し、外周側に設けられたホルダ１２で一体的に保持される。なお、ステータコア１６は、Ｕ相、Ｖ相、Ｗ相のコイル１８Ｕ、１８Ｖ、１８Ｗをそれぞれ有した分割コア部１４を６つずつ備えて形成される。
【００２２】
分割コア部１４は、図２及び図３に示されるように、プレスにより打ち抜いた略Ｔ字状の金属板を複数枚積層して構成する分割鉄心２０と、前記分割鉄心２０を絶縁するインシュレータ２２とから構成される。
【００２３】
分割鉄心２０は、略Ｔ字状であり、「Ｔ」字の上辺に相当するヨーク部２６と、「Ｔ」字の下辺延出部に相当する磁極部２８とから構成される。
【００２４】
インシュレータ２２は、例えば、樹脂製材料から形成され可撓性を有しており、コイル１８Ｕ、１８Ｖ、１８Ｗの巻回される巻回部３０と、前記巻回部３０に対してステータコア１６の半径方向外側（矢印Ｂ１方向）に形成される配線部３２とを有している。
【００２５】
巻回部３０は、第１巻回部３４と第２巻回部３６とを含み、前記第１巻回部３４には、断面略Ｕ字状に形成された第１巻回部本体３８と、前記第１巻回部本体３８のうちステータコア１６の半径方向内側（矢印Ｂ２方向）の端部に立設された上側内周壁４０と、前記第１巻回部本体３８のうち矢印Ａ方向に沿って延在している部位の矢印Ｂ１方向の端部に立設されて前記上側内周壁４０と対向する上側外周壁４２とが設けられている。
【００２６】
一方、第２巻回部３６には、断面略Ｕ字状に形成された第２巻回部本体４４と、前記第２巻回部本体４４のうち矢印Ｂ２方向の端部に立設された下側内周壁４６と、前記第２巻回部本体４４のうち矢印Ｂ１方向の端部に立設されて前記下側内周壁４６と対向する下側外周壁４８とが設けられている。
【００２７】
そして、第１巻回部本体３８と第２巻回部本体４４、上側内周壁４０と下側内周壁４６、上側外周壁４２と下側外周壁４８は、それぞれ一部が重なり合うことで一体的に結合される。
【００２８】
配線部３２は、第１巻回部３４を構成する上側外周壁４２の上端部近傍から矢印Ｂ１方向に延びた支持板５０と、前記支持板５０の上面に設けられた第１及び第２基部５２、５４（図４参照）と、前記第１及び第２基部５２、５４に形成される第１〜第５延在板５６、５８、６０、６２、６４とを含む。
【００２９】
第１基部５２と第２基部５４とは、ステータコア１６の周方向（矢印Ｃ方向）に互いに離間して配置され、前記第１基部５２と第２基部５４との間の隙間６６は、中性端子Ｎ及び各相に接続されるコイル１８Ｎ、１８Ｕ、１８Ｖ、１８Ｗが挿通可能な間隔に形成されている（図４参照）。
【００３０】
第１延在板５６は、第１及び第２基部５２、５４の上端部から矢印Ｂ１方向に延在し、前記第１延在板５６の下部には、矢印Ｂ１方向に延在して該第１延在板５６と平行な第２〜第５延在板５８、６０、６２、６４がそれぞれ形成される。
【００３１】
この第１〜第５延在板５６、５８、６０、６２、６４の間には、インシュレータ２２の高さ方向（矢印Ａ方向）において等間隔離間した第１〜第４収納溝（溝部）６８、７０、７２、７４がそれぞれ形成される。第１〜第４収納溝６８、７０、７２、７４は、インシュレータ２２における半径方向外側に開口し、該インシュレータ２２の周方向（矢印Ｃ方向）に沿って貫通するように形成される。
【００３２】
第１収納溝６８には、図４及び図５に示されるように、第２延在板５８の内壁面（壁部）に形成され上方（矢印Ａ１方向）に向かって突出した一組の第１突部（突部）７６ａ、７６ｂと、第１延在板５６の内壁面（壁部）に形成され下方（矢印Ａ２方向）に向かって突出した第２突部（突部）７８とが形成される。この第１及び第２突部７６ａ、７６ｂ、７８は、例えば、断面三角形状に形成され、第１及び第２延在板５６、５８から離間する方向に向かって徐々に先細状となるように形成される。また、第１及び第２突部７６ａ、７６ｂ、７８は、突出高さが略同一となるように形成され、インシュレータ２２の半径方向（図２及び図３中、矢印Ｂ方向）に沿って一直線上に延在している。
【００３３】
第１突部７６ａ、７６ｂは、一方の第１突部７６ａが第１基部５２に臨む位置に設けられ、他方の第１突部７６ｂが、該一方の第１突部７６ａに対して所定間隔離間して第２基部５４に臨む位置に設けられる。
【００３４】
一方、第２突部７８は、一方の第１突部７６ａと他方の第１突部７６ｂとの間となり、且つ、第１基部５２と第２基部５４との間の隙間６６に臨む位置に設けられる。すなわち、第１及び第２突部７６ａ、７６ｂ、７８は、第１収納溝６８において周方向（矢印Ｃ方向）に沿って互い違いとなるように上下に配置されている。
【００３５】
第２〜第４収納溝７０、７２、７４には、第１収納溝６８と同様に、一組の第１突部７６ａ、７６ｂと、一方の第１突部７６ａと他方の第１突部７６ｂとの間となるように設けられた第２突部７８とをそれぞれ備え、前記第１〜第４収納溝６８、７０、７２、７４における第１及び第２突部７６ａ、７６ｂ、７８は、インシュレータ２２の高さ方向（矢印Ａ方向）に沿って略一直線上となるように配置される。
【００３６】
すなわち、第１〜第４収納溝６８、７０、７２、７４には、インシュレータ２２の周方向（矢印Ｃ方向）に沿って互いに離間した３か所の第１及び第２突部７６ａ、７６ｂ、７８が設けられている。
【００３７】
本発明の実施の形態に係る回転電機用ステータ１０は、基本的には以上のように構成されるものであり、次に、インシュレータ２２に対してコイル１８Ｎ、１８Ｕ、１８Ｖ、１８Ｗを装着する場合について図５を参照しながら説明する。
【００３８】
先ず、中性端子Ｎに電気的に接続されたコイル１８Ｎを、インシュレータ２２の周方向に沿った一端部側（矢印Ｃ１方向）から第１収納溝６８へと導き、一方の第１突部７６ａと、第２突部７８と、他方の第１突部７６ｂに当接させながら他端部側（矢印Ｃ２方向）へと導く。これにより、コイル１８Ｎは、第１収納溝６８の一端部近傍では第１突部７６ａによって保持され、略中央部近傍では第２突部７８によって保持され、他端部近傍では他方の第１突部７６ｂによって保持される。
【００３９】
換言すれば、コイル１８Ｎは、第１収納溝６８において第１及び第２突部７６ａ、７６ｂ、７８によって３点で保持されている。
【００４０】
詳細には、コイル１８Ｎは、第１収納溝６８の一端部近傍では、上方に向かって突出した一方の第１突部７６ａによって上方（矢印Ａ１方向）へと押し上げられ、略中央部近傍では、下方に向かって突出した第２突部７８によって下方（矢印Ａ２方向）へと押し下げられ、他端部近傍では、上方に向かって突出した他方の第１突部７６ｂによって再び上方（矢印Ａ１方向）へと押し上げられるように保持される。
【００４１】
次に、入力端子Ｕに電気的に接続されたＵ相のコイル１８Ｕを、巻回部３０から半径方向外側へと取り出し、インシュレータ２２の周方向に沿った一端部側（矢印Ｃ１方向）から第２収納溝７０へと導く。そして、コイル１８Ｕを、第２収納溝７０において一方の第１突部７６ａと、第２突部７８と、他方の第１突部７６ｂに当接させながら他端部側（矢印Ｃ２方向）へと導く。これにより、コイル１８Ｕが、第２収納溝７０において一端部近傍では第１突部７６ａで保持され、略中央部近傍では第２突部７８で保持され、他端部近傍では他方の第１突部７６ｂで保持されることで、前記第１及び第２突部７６ａ、７６ｂ、７８の３点で保持された状態となる。
【００４２】
次に、入力端子Ｖに電気的に接続されたＶ相のコイル１８Ｖを、巻回部３０から半径方向外側へと取り出した後、インシュレータ２２の周方向に沿った一端部側（矢印Ｃ１方向）から第３収納溝７２へと導き、一方の第１突部７６ａと、第２突部７８と、他方の第１突部７６ｂに当接させながら他端部側（矢印Ｃ２方向）へと導く。これにより、コイル１８Ｖが、第３収納溝７２において一端部近傍では第１突部７６ａで保持され、略中央部近傍では、第２突部７８で保持され、他端部近傍では、他方の第１突部７６ｂで保持され、前記第１及び第２突部７６ａ、７６ｂ、７８の３点で保持された状態となる。
【００４３】
最後に、入力端子Ｗに電気的に接続されたＷ相のコイル１８Ｗを、巻回部３０から半径方向外側へと取り出し、インシュレータ２２の周方向に沿った一端部側（矢印Ｃ１方向）から第４収納溝７４へと導き、一方の第１突部７６ａと、第２突部７８と、他方の第１突部７６ｂに当接させながら他端部側（矢印Ｃ２方向）へと導く。これにより、コイル１８Ｗが、第４収納溝７４において一端部近傍では第１突部７６ａで保持され、略中央部近傍では、第２突部７８で保持され、他端部近傍では、他方の第１突部７６ｂで保持され、前記第１及び第２突部７６ａ、７６ｂ、７８の３点で保持された状態となる。
【００４４】
これにより、１つの分割コア部１４を構成するインシュレータ２２に対して中性端子Ｎに接続されたコイル１８Ｎ、Ｕ相、Ｖ相及びＷ相のコイル１８Ｕ、１８Ｖ、１８Ｗが装着され、それぞれ確実に保持された状態となる。
【００４５】
このように、インシュレータ２２を構成する第１〜第４収納溝６８、７０、７２、７４にそれぞれコイル１８Ｎ、１８Ｕ、１８Ｖ、１８Ｗを挿入し、第１及び第２突部７６ａ、７６ｂ、７８によって３か所で第１〜第４収納溝６８、７０、７２、７４の内部に保持することで単一のインシュレータ２２において前記コイル１８Ｕ、１８Ｖ、１８Ｗを確実にそれぞれ保持することが可能となる。
【００４６】
また、コイル１８Ｎ、１８Ｕ、１８Ｖ、１８Ｗは、第１〜第４収納溝６８、７０、７２、７４において同じような間隔（ピッチ）、同一の突出高さ、同一の突出方向でそれぞれ形成された第１及び第２突部７６ａ、７６ｂ、７８によって保持されているため、隣接して配置された中性端子Ｎ、Ｕ相、Ｖ相及びＷ相のコイル１８Ｎ、１８Ｕ、１８Ｖ、１８Ｗが略同一形状で保持され、それに伴って、互いに接触することが回避される。
【００４７】
換言すれば、各コイル１８Ｎ、１８Ｕ、１８Ｖ、１８Ｗは、第１〜第４収納溝６８、７０、７２、７４において、第１及び第２突部７６ａ、７６ｂ、７８によって上下方向（矢印Ａ１、Ａ２方向）に交互に湾曲するように保持されるため、前記各コイル１８Ｎ、１８Ｕ、１８Ｖ、１８Ｗが周方向（矢印Ｃ方向）に沿って同一のピッチで同一方向に湾曲させることで前記コイル１８Ｎ、１８Ｕ、１８Ｖ、１８Ｗ同士の接触が防止される。
【００４８】
そして、上述した分割コア部１４に保持されたコイル１８Ｎ、１８Ｕ、１８Ｖ、１８Ｗを、該分割コア部１４に隣接する別の分割コア部１４ａのインシュレータ２２ａの第１〜第４収納溝６８、７０、７２、７４へとそれぞれ導いて挿入する。この場合、別の分割コア部１４ａにおけるインシュレータ２２ａの第１及び第２突部７６ａ、７６ｂ、７８も、上述したインシュレータ２２における第１及び第２突部７６ａ、７６ｂ、７８と同一形状、同一の間隔（ピッチ）で形成されているため、別のインシュレータ２２ａにおいても、コイル１８Ｎ、１８Ｕ、１８Ｖ、１８Ｗがそれぞれ第１及び第２突部７６ａ、７６ｂ、７８によって第１〜第４収納溝６８、７０、７２、７４に対して保持される。
【００４９】
また、図５に示されるように、インシュレータ２２における第１突部７６ｂと前記インシュレータ２２ａにおける第１突部７６ａとの離間距離（ピッチ）Ｌ１は、一方のインシュレータ２２における第１突部７６ｂと第２突部７８との離間距離（ピッチ）Ｌ２、他方のインシュレータ２２ａにおける第１突部７６ａと第２突部７８との離間距離（ピッチ）Ｌ３のそれぞれに対して大きくなるように設定される（Ｌ１＞Ｌ２、Ｌ３）。なお、離間距離Ｌ２と離間距離Ｌ３は、略同一となるように形成されている（Ｌ２＝Ｌ３）。
【００５０】
このように、分割コア部１４における第１突部７６ｂと第２突部７８との離間距離Ｌ２、分割コア部１４ａにおける第１突部７６ａと第２突部７８との離間距離Ｌ３に対して、隣接した分割コア部１４の第１突部７６ｂと分割コア部１４ａの第１突部７６ａとの離間距離Ｌ１を大きく設定することで、各分割コア部１４、１４ａに高さ方向（矢印Ａ方向）への組付誤差が生じた場合でも、該誤差に起因した応力（張力）がコイル１８Ｎ、１８Ｕ、１８Ｖ、１８Ｗの渡り部１８ａに対して付与されることを抑制できる。
【００５１】
以上のように、本実施の形態では、複数の分割コア部１４が環状に配置されたステータ１０において、前記分割コア部１４を構成するインシュレータ２２の第１〜第４収納溝６８、７０、７２、７４に、該インシュレータ２２の高さ方向（矢印Ａ方向）に突出した一組の第１突部７６ａ、７６ｂと第２突部７８とを形成し、前記第１及び第２突部７６ａ、７６ｂ、７８を前記第１〜第４収納溝６８、７０、７２、７４の周方向（矢印Ｃ方向）に沿って上下に互い違いとなるように配置することにより、前記第１〜第４収納溝６８、７０、７２、７４に挿入されたコイル１８Ｎ、１８Ｕ、１８Ｖ、１８Ｗを第１及び第２突部７６ａ、７６ｂ、７８によって３点で保持することが可能となる。
【００５２】
そのため、コイル１８Ｎ、１８Ｕ、１８Ｖ、１８Ｗが、単一のインシュレータ２２において確実に保持され、例えば、ホルダ１２に対して複数の分割コア部１４を軸方向に圧入等によって組み付ける際、前記分割コア部１４と隣接する分割コア部１４ａとの間において高さ方向（矢印Ａ方向）に組付誤差が生じた場合でも、一方の分割コア部１４におけるインシュレータ２２と、他方の分割コア部１４ａにおけるインシュレータ２２ａとの間に生じた段差によって該インシュレータ２２間を渡るコイル１８Ｎ、１８Ｕ、１８Ｖ、１８Ｗに対して張力が付与されることを抑制できる。
【００５３】
その結果、複数の分割コア部１４を有したステータ１０において、隣接する分割コア部１４ａに組付誤差が生じている場合でも、前記分割コア部１４に装着されるコイル１８Ｎ、１８Ｕ、１８Ｖ、１８Ｗの渡り部１８ａに過大な負荷（張力）をかけることなく確実に保持することができる。
【００５４】
換言すれば、コイル１８Ｎ、１８Ｕ、１８Ｖ、１８Ｗを保持するためには、少なくとも３か所で保持することが必要となるため、例えば、単一のインシュレータ２２において２か所のみの突部を有している場合には、前記突部に加え、隣接するインシュレータ２２の突部を利用して保持することとなるが、前記隣接するインシュレータ２２を含む分割コア部１４が高さ方向（矢印Ａ方向）に組付誤差を有している場合には、該組付誤差に起因した張力がコイルに付与されてしまうこととなる。
【００５５】
これに対して、本実施の形態に係るステータ１０では、各インシュレータ２２、２２ａにおいて第１及び第２突部７６ａ、７６ｂ、７８によってコイル１８Ｎ、１８Ｕ、１８Ｖ、１８Ｗを３か所で保持可能としているため、例えば、隣接する分割コア部１４、１４ａ間における組付誤差の影響を受けることなく組み付けることが可能となる。
【００５６】
また、各分割コア部１４、１４ａを構成するインシュレータ２２、２２ａにおいて、それぞれ同一位置、同一形状及び同一の間隔（ピッチ）で第１及び第２突部７６ａ、７６ｂ、７８を設けることにより、前記インシュレータ２２、２２ａを同一の金型で成形することが可能となり、例えば、前記金型に要する型費を抑制することができる。
【００５７】
さらに、第１及び第２突部７６ａ、７６ｂ、７８は、インシュレータ２２の高さ方向（矢印Ａ方向）に対向するように配置された第１延在板５６と第２延在板５８、該第２延在板５８と第３延在板６０、該第３延在板６０と第４延在板６２、該第４延在板６２と第５延在板６４とにそれぞれ設けられるため、コイル１８Ｎ、１８Ｕ、１８Ｖ、１８Ｗに対して上下方向から押圧力を付与することが可能となり、それに伴って、前記コイル１８Ｎ、１８Ｕ、１８Ｖ、１８Ｗを確実に保持することが可能となる。
【００５８】
さらにまた、コイル１８Ｎ、１８Ｕ、１８Ｖ、１８Ｗには、第１及び第２突部７６ａ、７６ｂ、７８によって下方及び上方へと押圧された部位にスプリングバック力を効果的に発生させることができるため、前記スプリングバック力によって前記コイル１８Ｎ、１８Ｕ、１８Ｖ、１８Ｗを前記第１及び第２突部７６ａ、７６ｂ、７８に対して密着させ保持することが可能となる。なお、スプリングバック力とは、コイル１８Ｎ、１８Ｕ、１８Ｖ、１８Ｗが一直線上に戻ろうとする方向に働く反力である。
【００５９】
また、上述したように第１及び第２突部７６ａ、７６ｂ、７８は、該第１突部７６ａ、７６ｂが下方（矢印Ａ２方向）に向かって突出し、前記第２突部７８が上方（矢印Ａ１方向）に向かって突出して形成され、且つ、第１〜第４収納溝６８、７０、７２、７４の第１及び第２突部７６ａ、７６ｂ、７８が同一方向に突出するように形成される場合に限定されるものではなく、例えば、図６に示される第１変形例に係るインシュレータ１００のように、第１及び第３収納溝６８、７２では、第１突部１０２ａ、１０２ｂが上方（矢印Ａ１方向）、第２突部１０４が下方（矢印Ａ２方向）に向かって突出し、一方、第２及び第４収納溝７０、７４では、前記第１突部１０２ａ、１０２ｂが下方（矢印Ａ２方向）、前記第２突部１０４が上方（矢印Ａ１方向）に向かって突出して形成されるようにしてもよい。
【００６０】
すなわち、このインシュレータ１００では、第２及び第４延在板５８、６２を挟んで、第２突部１０４が上下方向に突出するように形成されると共に、第３延在板６０を挟んで第１突部１０２ａ、１０２ｂが上下方向に突出し、且つ、第１延在板５６では下方に、第５延在板６４では上方に向かって突出するように形成されている。
【００６１】
これにより、第１及び第２突部１０２ａ、１０２ｂ、１０４によってコイル１８Ｎ（１８Ｕ、１８Ｖ、１８Ｗ）を保持した際に、該コイル１８Ｎ（１８Ｕ、１８Ｖ、１８Ｗ）からの反力が前記第１及び第２突部１０２ａ、１０２ｂ、１０４に対して付与されることとなるが、前記第１及び第２突部１０２ａ、１０２ｂ、１０４を各延在板を挟んで反対側に配置することで、前記反力が互いに打消し合う方向に付与されることとなる。その結果、コイル１８Ｎ、１８Ｕ、１８Ｖ、１８Ｗの反力に起因した第１〜第５延在板５６、５８、６０、６２、６４の変形を防止することが可能となる。
【００６２】
また、インシュレータ２２に設けられる第１及び第２突部７６ａ、７６ｂ、７８は、上述したように第１〜第４収納溝６８、７０、７２、７４に対してそれぞれ３か所ずつ設けられる場合に限定されるものではなく、例えば、図７に示される第２変形例に係るインシュレータ１２０のように、前記第１〜第４収納溝６８、７０、７２、７４の一端部及び他端部近傍に設けられた一組の第１突部１２２ａ、１２２ｂと、前記第１突部１２２ａ、１２２ｂの間に設けられた第２突部１２４と、前記第１突部１２２ａ、１２２ｂに対してさらに前記一端部及び他端部側に設けられた一組の第３突部１２６ａ、１２６ｂとから５か所設けるようにしてもよい。
【００６３】
第１突部１２２ａ、１２２ｂは、図７に示されるように、一方の第１突部１２２ａが第１基部５２に臨む位置に設けられ、他方の第１突部１２２ｂが、該一方の第１突部１２２ａに対して周方向（矢印Ｃ方向）に沿って所定間隔離間して第２基部５４に臨む位置に設けられる。そして、第１延在板５６に対して下方（矢印Ａ２方向）と突出するように形成される。
【００６４】
第２突部１２４は、一方の第１突部１２２ａと他方の第１突部１２２ｂとの間となり、且つ、第１基部５２と第２基部５４との間の隙間６６に臨む位置に設けられ、第２延在板５８に対して上方（矢印Ａ１方向）に突出するように形成される。
【００６５】
第３突部１２６ａ、１２６ｂは、第２突部１２４と同様に、第２延在板５８から上方へと突出し、第１突部１２２ａ、１２２ｂに対して周方向（矢印Ｃ方向）に沿って所定間隔離間して形成される。
【００６６】
すなわち、第１〜第３突部１２２ａ、１２２ｂ、１２４、１２６ａ、１２６ｂは、第１収納溝６８において周方向（矢印Ｃ方向）に沿って互いに略等間隔離間するように配置されると共に、前記周方向に沿って互い違いとなるように上下に配置されている。なお、第１〜第３突部１２２ａ、１２２ｂ、１２４、１２６ａ、１２６ｂは、断面三角形状の同一断面形状で形成される。
【００６７】
また、第１〜第３突部１２２ａ、１２２ｂ、１２４、１２６ａ、１２６ｂは、第１収納溝６８と同様に、第２〜第４収納溝７０、７２、７４にも形成され、前記第１〜第３突部１２２ａ、１２２ｂ、１２４、１２６ａ、１２６ｂは、インシュレータ１２０の高さ方向（矢印Ａ方向）に沿って略一直線上となるようにそれぞれ配置される。
【００６８】
上述した本実施の形態に係るステータを構成するインシュレータ２２では、隣接する分割コア部１４における第１突部７６ａ、７６ｂが、同一方向（上方）に突出するように形成されているため、２つの分割コア部１４を渡るコイル１８Ｎ、１８Ｕ、１８Ｖ、１８Ｗの垂れ量（撓み量）が大きくなるが、第２変形例に係るインシュレータ１２０では、第１〜第４収納溝６８、７０、７２、７４の一端部及び他端部に一組の第３突部１２６ａ、１２６ｂを設けることで、隣接する２つの分割コア部１４を渡るコイル１８Ｎ、１８Ｕ、１８Ｖ、１８Ｗの垂れ量を前記第３突部１２６ａ、１２６ｂによって抑制することが可能となる。
【００６９】
なお、本発明に係る回転電機は、上述の実施の形態に限らず、本発明の要旨を逸脱することなく、種々の構成を採り得ることはもちろんである。
【符号の説明】
【００７０】
１０…回転電機用ステータ            １２…ホルダ
１４、１４ａ…分割コア部            １６…ステータコア
１８Ｎ、１８Ｕ、１８Ｖ、１８Ｗ…コイル
２０…分割鉄心
２２、１００、１２０…インシュレータ
３０…巻回部                        ３２…配線部
３４…第１巻回部                    ３６…第２巻回部
５０…支持板                        ５２…第１基部
５４…第２基部                      ５６…第１延在板
５８…第２延在板                    ６０…第３延在板
６２…第４延在板                    ６４…第５延在板
６８…第１収納溝                    ７０…第２収納溝
７２…第３収納溝                    ７４…第４収納溝
７６ａ、７６ｂ、１０２ａ、１０２ｂ、１２２ａ、１２２ｂ…第１突部
７８、１０４、１２４…第２突部      １２６ａ、１２６ｂ…第３突部
【図１】
2013243800.tif 000003
【図２】
2013243800.tif 000004
【図３】
2013243800.tif 000005
【図４】
2013243800.tif 000006
【図５】
2013243800.tif 000007
【図６】
2013243800.tif 000008
【図７】
2013243800.tif 000009